(57)【特許請求の範囲】
【請求項１】
第１の差込部及び第２の差込部が設けられた基台と、
基台の第１の差込部への差込を制限するよう基台に設けられた差込制限部から差込方向先端へ向かって第１の所定寸法離れた位置に第１の固定接点が設けられた第１の固定端子部材と、第１の固定端子部材と対向して設けられ、基台の第２の差込部への差込を制限するよう設けられた差込制限部から差込方向先端へ向かって第１の所定寸法より短い第２の所定寸法離れた位置に第２の固定接点が設けられた第２の固定端子部材と、両固定端子部材の間に設けられ、両固定端子部材の対向方向に沿って駆動されることにより第１の固定接点又は第２の固定接点に当接して導通する可動接点が突出して設けられた可動接点板と、を備え、
第１の固定端子部材と第２の固定端子部材とのそれぞれが差込制限部によって差込制限された状態で配設された場合、第１の固定接点と第２の固定接点とが対向して設けられる接点開閉装置において、
前記基台は、第１の固定端子部材を第２の差込部に差込んだ場合に第１の固定接点が第２の差込制限部から第１の固定接点までの距離が第１の所定寸法よりも短い状態で当接され、且つ第２の固定端子部材を第２の差込部に差込制限部によって差込制限されて差込んだ場合には第２の固定接点と当接しない差込規制部を第２の差込部に隣接して設けると共に、第１の固定接点の突出方向の高さと可動接点の突出方向との高さとを合わせた長さよりも短くて可動接点の高さよりも長く、可動接点板の駆動方向の駆動範囲を規制する駆動規制部が第１の差込部に隣接して設けられたことを特徴とする接点開閉装置。
【請求項２】
前記差込規制部は、前記第２の固定端子部材を差込方向に沿ってガイドする第２の固定端子用ガイド面が設けられたことを特徴とする請求項１記載の接点開閉装置。
【請求項３】
前記駆動規制部は、前記第１の固定端子部材を差込方向に沿ってガイドする第１の固定端子用ガイド面が設けられたことを特徴とする請求項１又は２に記載の接点開閉装置。
【発明の詳細な説明】
【０００１】
【発明の属する技術分野】
本発明は、リミットスイッチ等の接点開閉装置に関するものである。
【０００２】
【従来の技術】
従来、この種の接点開閉装置として図４及び図５に示すものが存在する。このものは、リミットスイッチであって、基台A 、アクチュエータB 、作動旱C 、第１の固定端子部材D 、第２の固定端子部材E 、可動接点板F を備えている。
【０００３】
基台A は、装置本体をなし、その一端部でアクチュエータB を回転自在に支持するとともに、他端部に接点ブロックA1が設けられている。アクチュエータB は、その先端部が押圧されることにより回転運動し、作動旱C をその軸方向に沿ってアクチュエータB から離れる方向へ駆動する。
【０００４】
第１の固定端子部材D は、基台A の接点ブロックA1に穴状に設けられた第１の差込部A2に差し込まれ、差込制限するよう設けられた差込制限部D1から差込方向先端へ向かって第１の所定寸法Ｌ1 離れた位置に第１の固定接点D2が設けられている。
【０００５】
第２の固定端子部材E は、基台A の他端部に穴状に設けられた第２の差込部A3に差し込まれ、差込制限するよう設けられた差込制限部E1から差込方向先端へ向かって第１の所定寸法Ｌ1 より短い第２の所定寸法Ｌ2 離れた位置に第２の固定接点E2が設けられている。これらの両固定端子部材D,E は、固定接点の設けられた位置の他は、同一の仕様となっている。
【０００６】
可動接点板F は、ばね性を有しており、中央部で作動旱C に連設され、両端部に可動接点F1が設けられている。
【０００７】
次に、図５(a) 及び(b) に基づいて、可動接点F1と両固定接点D2,E2 との接離状態について詳しく説明する。アクチュエータB が押圧されることにより、図４に示したＰＴの範囲で、アクチュエータB が回転運動している間は、作動旱C がアクチュエータB 寄りに位置しているので、可動接点板F は、そのばね力に比較して小さな駆動力しか作動旱C から受けず、作動旱C に連設している中央部がアクチュエータB 寄りに位置したままとなる。そうなると、可動接点板F の両端部に設けられた可動接点F1は、図５(a) に示すように、可動接点板F のばね力による接点圧を有して第２の固定接点E2に当接したままとなる。
【０００８】
この状態から、さらにアクチュエータB が押圧されて、図４に示したＯＴの範囲で、アクチュエータB が回転運動するようになると、可動接点板F は、そのばね力に比較して大きな駆動力を作動旱C から受けるようになり、作動旱C に連設している中央部がアクチュエータB から離れる方向へ、第１の固定接点D2と第２の固定接点E2との対向方向に沿って駆動される。
【０００９】
そうなると、可動接点板F は、反転するようにして、中央部から両端部に亙る全体がアクチュエータB から離れる方向へ変位し、図５(b) に示すように、可動接点板F の両端部に設けられた可動接点F1は、第２の固定接点E2から開離して、可動接点板F のばね力による接点圧を有して第１の固定接点D2に当接するようになる。
【００１０】
【発明が解決しようとする課題】
上記した従来の接点開閉装置にあっては、両固定端子部材D,E は、固定接点の設けられた位置の他は、同一の仕様となっているから、第２の差込部A3に第２の固定端子部材E を差し込むべきところを、図６(a) に示すように、誤って、第１の固定端子部材D を差し込んでしまうと、第１の差込部A2に正しく差し込まれた第１の固定端子部材D の第１の固定接点D2は、誤って差し込まれた第１の固定端子部材E の第１の固定接点D2と対向せずに、第１の固定接点D2の設けられていない箇所と対向することになる。こうなると、図４に示したＯＴの範囲で、この状態のまま可動接点板F が駆動されると、可動接点F1は、誤って差し込まれた第１の固定端子部材D の第１の固定接点D2に当接せずに、その第１の固定端子部材D そのものに当接するようになり、異常発熱や導通不良等の不具合が発生する原因になってしまう。
【００１１】
これとは逆に、第１の差込部A1に第１の固定端子部材D を差し込むべきところを、図６(b) に示すように、誤って、第２の固定端子部材E を差し込んでしまうと、第２の差込部A3に正しく差し込まれた第２の固定端子部材E の第２の固定接点E2は、誤って差し込まれた第２の固定端子部材E の第２の固定接点E2と対向せずに、第２の固定接点E2の設けられていない箇所と対向することになる。こうなると、図４に示したＰＴの範囲で、この状態のまま可動接点板F が駆動されると、可動接点F1は、誤って差し込まれた第２の固定端子部材E の第２の固定接点E2に当接せずに、その第２の固定端子部材E そのものに当接するようになり、異常発熱や導通不良等の不具合が発生する原因になってしまう。
【００１２】
本発明は、上記の点に着目してなされたもので、その目的とするところは、固定端子部材が誤って差し込まれても、異常発熱や導通不良等の不具合が発生しない接点開閉装置を提供することにある。
【００１３】
上記した課題を解決するために、請求項１記載の発明は、第１の差込部及び第２の差込部が設けられた基台と、基台の第１の差込部への差込を制限するよう基台に設けられた差込制限部から差込方向先端へ向かって第１の所定寸法離れた位置に第１の固定接点が設けられた第１の固定端子部材と、第１の固定端子部材と対向して設けられ、基台の第２の差込部への差込を制限するよう設けられた差込制限部から差込方向先端へ向かって第１の所定寸法より短い第２の所定寸法離れた位置に第２の固定接点が設けられた第２の固定端子部材と、両固定端子部材の間に設けられ、両固定端子部材の対向方向に沿って駆動されることにより第１の固定接点又は第２の固定接点に当接して導通する可動接点が突出して設けられた可動接点板と、を備え、第１の固定端子部材と第２の固定端子部材とのそれぞれが差込制限部によって差込制限された状態で配設された場合、第１の固定接点と第２の固定接点とが対向して設けられる接点開閉装置において、前記基台は、第１の固定端子部材を第２の差込部に差込んだ場合に第１の固定接点が第２の差込制限部から第１の固定接点までの距離が第１の所定寸法よりも短い状態で当接され、且つ第２の固定端子部材を第２の差込部に差込制限部によって差込制限されて差込んだ場合には第２の固定接点と当接しない差込規制部を第２の差込部に隣接して設けると共に、第１の固定接点の突出方向の高さと可動接点の突出方向との高さとを合わせた長さよりも短くて可動接点の高さよりも長く、可動接点板の駆動方向の駆動範囲を規制する駆動規制部が第１の差込部に隣接して設けられた構成にしている。
【００１４】
請求項２記載の発明は、請求項１記載の発明において、前記差込規制部は、前記第２の固定端子部材を差込方向に沿ってガイドする第２の固定端子用ガイド面が設けられた構成にしている。
【００１５】
請求項３記載の発明は、請求項１又は２記載の発明において、前記駆動規制部は、前記第１の固定端子部材を差込方向に沿ってガイドする第１の固定端子用ガイド面が設けられた構成にしている。
【００１８】
【発明の実施の形態】
本発明の一実施形態を図１乃至図３に基づいて以下に説明する。このものは、リミットスイッチであって、基台1 、アクチュエータ2 、作動旱3 、第１の固定端子部材4 、常開側固定端子ネジ5 、第２の固定端子部材6 、常閉側固定端子ネジ7 、可動接点板8 を備えている。
【００１９】
基台1 は、スイッチ本体をなし、その一端部でアクチュエータ2 を回転自在に支持するとともに、他端部に接点ブロック11が設けられている。この接点ブロック11では、後述する第１の固定端子部材4 及び第２の固定端子部材6 の差込方向に沿った高さ方向の異なるエリア、すなわち、上段エリア11a 、中段エリア11b 及び下段エリア11c が基台1 に設けられている。上段エリア11a は、アクチュエータ2 に最も近いエリアであり、３つのエリアのうちで、差込方向に沿った高さが最も高くなっている。中段エリア11b は、アクチュエータ2 から最も遠いエリアであり、上段エリア11a と下段エリア11c との間の中間の高さを有している。下段エリア11c は、上段エリア11a と中段エリア11b との間のエリアであり、３つのエリアのうちで、差込方向に沿った高さが最も低くなっている。
【００２０】
アクチュエータ2 は、その先端部が押圧されることにより回転運動し、作動旱3 をその軸方向に沿ってアクチュエータ2 から離れる方向へ駆動する。
【００２１】
第１の固定端子部材4 は、常開側固定端子部材であり、その基端部が内側に折曲されることにより、後述する常開側ネジ挿入部1eの開口縁に掛止されて差込制限する差込制限部4aが設けられている。この第１の固定端子部材4 は、差込制限部4aから先端にかけての寸法が長い断面Ｊ字状の長寸部4b及び差込制限部4aから先端にかけての寸法が短い断面Ｊ字状の短寸部4cからなる。
【００２２】
この第１の固定端子部材4 の長寸部4bは、差込制限部4aから差込方向先端へ向かって第１の所定寸法Ｌ1 離れた位置に、常開側固定接点である第１の固定接点4dが突設されている。この第１の固定端子部材4 は、接点ブロック11の下段エリア11c 、つまり基台1 に設けられた穴状の第１の差込部1aに、長寸部4bが先端から差し込まれるとともに、接点ブロック11の上段エリア11a に設けられた穴状の常開側端子差込部1dに、短寸部4cが先端から差し込まれる。
【００２３】
この第１の固定端子部材4 の長寸部4bは、第１の差込部1aへの差込の際に、第１の差込部1aの近傍に基台1 から立設された駆動規制部1bの側面からなる第１の固定端子用ガイド面1cにガイドされる。この第１の固定端子用ガイド面1cを有した駆動規制部1bの幅寸法、すなわち、第１の固定接点4dと後述する第２の固定接点6aとの対向方向に沿った寸法は、後述する可動接点8aの突設寸法及び第１の固定接点4dの突設寸法の合計よりも小さく、可動接点8aの突設寸法及び第１の固定接点4dの突設寸法のそれぞれよりも大きくなっている。
【００２４】
常開側固定端子ネジ5 は、頭部5a及びその頭部5aに連設された足部5bを有し、接点ブロック11の上段エリア11a に設けられた穴状の常開側ネジ挿入部1eに足部5bが挿入されるよう、第１の固定端子部材4 の基端部に足部5bが螺着される。
【００２５】
第２の固定端子部材6 は、常閉側固定端子部材であり、その基端部が内側に折曲されることにより、後述する常閉側ネジ挿入部1kの開口縁に掛止されて差込制限する差込制限部6aが設けられている。この第２の固定端子部材6 は、差込制限部6aから先端にかけての寸法が長い断面Ｊ字状の長寸部6b及び差込制限部6aから先端にかけての寸法が短い断面Ｊ字状の短寸部6cからなる。
【００２６】
この第２の固定端子部材6 の長寸部6bは、差込制限部6aから差込方向先端へ向かって第１の所定寸法Ｌ1 より短い第２の所定寸法Ｌ2 離れた位置に、常閉側固定接点である第２の固定接点6dが突設されている。この第２の固定端子部材6 は、接点ブロック11の下段エリア11c 、つまり基台1 に設けられた穴状の第２の差込部1fに、長寸部6bが先端から差し込まれるとともに、接点ブロック11の中段エリア11b に設けられた穴状の常閉側端子差込部1jに、短寸部6cが先端から差し込まれる。この第２の固定端子部材6 は、第２の差込部1fに差し込まれた状態では、第１の差込部1aに差し込まれた第１の固定端子部材4 の第１の固定接点4dに、第２の固定接点6dが対向する。
【００２７】
この第２の固定端子部材6 の長寸部6bは、第２の差込部1fへの差込の際に、第２の差込部1fの近傍に基台1 から立設された差込規制部1gの側面からなる第２の固定端子用ガイド面1hにガイドされる。この第２の固定端子用ガイド面1hを有した差込規制部1gは、第２の差込部1fに差し込まれた第２の固定端子部材6 の先端から立設方向先端までの寸法が第２の所定寸法Ｌ2 より僅かに短くなる立設寸法を有している。この差込規制部1gの幅寸法、すなわち、第１の固定接点4dと第２の固定接点6dとの対向方向に沿った寸法は、駆動規制部1bの幅寸法と同一となっている。また、前述した駆動規制部1bの立設寸法は、この差込規制部1gの立設寸法と同一となっている。
【００２８】
常閉側固定端子ネジ7 は、頭部7a及びその頭部7aに連設された足部7bを有し、接点ブロック11の中段エリア11b に設けられた穴状の常閉側ネジ挿入部1kに足部7bが挿入されるよう、第２の固定端子部材6 の基端部に足部7bが螺着される。
【００２９】
可動接点板8 は、ばね性を有しており、中央部で作動旱3 に連設され、両端部で可動接点8aが両側に突設されている。この可動接点板8 は、詳しくは後述するが、駆動規制部1bと差込規制部1gとの間で、両固定接点4d,6d の間の対向方向に沿って駆動されることにより、可動接点8aが両固定接点4d,6d のいずれかに当接する。
【００３０】
次に、図１(a) 及び(b) に基づいて、可動接点8aと両固定接点4d,6d との接離状態について詳しく説明する。アクチュエータ2 が押圧されることにより、図３に示したＰＴの範囲で、アクチュエータ2 が回転運動している間は、作動旱3 がアクチュエータ2B寄りに位置しているので、可動接点板8 は、そのばね力に比較して小さな駆動力しか作動旱3 から受けず、作動旱3 に連設している中央部がアクチュエータ2 寄りに位置したままとなる。そうなると、可動接点板8 の両端部に設けられた可動接点8aは、図１(a) に示すように、可動接点板8 のばね力による接点圧を有して第２の固定接点6dに当接したままとなる。
【００３１】
この状態から、さらにアクチュエータ2 が押圧されて、図３に示したＯＴの範囲で、アクチュエータ2 が回転運動するようになると、可動接点板8 は、そのばね力に比較して大きな駆動力を作動旱3 から受けるようになり、作動旱3 に連設している中央部がアクチュエータ2 から離れる方向へ、第１の固定接点4dと第２の固定接点6dとの対向方向に沿って駆動される。
【００３２】
そうなると、可動接点板8 は、反転するようにして、中央部から両端部に亙る全体がアクチュエータ2 から離れる方向へ変位し、図１(b) に示すように、可動接点板8 の両端部に設けられた可動接点8aは、第２の固定接点6dから開離して、可動接点板8 のばね力による接点圧を有して第１の固定接点4dに当接するようになる。
【００３３】
次に、図２(a) 乃至(c) に基づいて、固定端子部材が誤って差し込まれた状態について説明する。なお、図２(a) では、可動接点板8 を省略している。
【００３４】
初めに、同図(a) に基づいて、第２の差込部1fに第２の固定端子部材6 を差し込むべきところを、誤って、第１の固定端子部材4 を差し込んでしまったときの状態を説明する。誤って差し込まれた第１の固定端子部材4 は、差込制限部4aから差込方向先端へ向かって第２の所定寸法Ｌ2 より長い第１の所定寸法Ｌ1 離れた位置に第１の固定接点4dが設けられているから、その差込制限部4aが常閉側ネジ挿入部1kの開口縁に掛止して差込制限される前に、第１の固定接点4dが差込規制部1gに衝突して差し込みが規制され、完全に差し込むことができなくなる。
【００３５】
次に、同図(b) 及び(c) に基づいて、第１の差込部1aに第１の固定端子部材4 を差し込むべきところを、誤って、第２の固定端子部材6 を差し込んでしまったときの状態を説明する。このように第１の固定端子部材4 が差し込まれても、同図(a) の場合とは異なって、正常に差し込まれて、第２の差込部1fに間違いなく差し込まれた第２の固定端子部材6 の第２の固定接点6dは、第１の差込部1aに誤って差し込まれた第２の固定端子部材6 の第２の固定接点6dに対向するようになる。
【００３６】
このようになっても、誤って差し込まれた第２の固定端子部材6 には、差込制限部6aから差込方向先端へ向かって第１の所定寸法Ｌ1 より短い第２の所定寸法Ｌ2 離れた位置に第２の固定接点6dが設けられているから、その第２の固定端子部材6 へ向かって駆動された可動接点板8 は、その可動接点8aの突設方向先端が第２の固定端子部材6 に当接する前に、また、可動接点板8 そのものが第２の固定端子部材6 の第２の固定接点6dの突設方向先端に当接される前に、両固定接点4d,6d の対向方向に沿って駆動規制部1bに衝突して駆動規制される。その結果、可動接点8aの突設方向先端と第２の固定端子部材6 との間に間隙G が形成されるとともに、可動接点板8 と第２の固定接点6dの突設方向先端との間に間隙G が形成されるので、誤って差し込まれた第２の固定端子部材6 との間で導通することはない。
【００３７】
かかる接点開閉装置にあっては、第１の固定端子部材４は、差込制限部４ａから差込方向先端へ向かって、第２の所定寸法Ｌ2より長い第１の所定寸法Ｌ1離れた位置に第１の固定接点４ｄが設けられているから、誤って、第２の差込部１ｆに差し込まれてしまっても、第１の固定接点４ｄが基台１の差込規制部１ｇに衝突して差し込みが規制されて、完全に差し込むことができない。
【００３８】
また、第２の固定端子部材６は、差込制限部６ａから差込方向先端に向かって、第１の所定寸法Ｌ1より短い第２の所定寸法Ｌ2離れた位置に第２の固定接点６ｄが設けられているから、誤って、第１の差込部１ａに差し込まれてしまっても、その誤って差し込まれた第２の固定端子部材６へ向かって駆動された可動接点板８が、両固定接点４ｄ，６ｄの対向方向に沿って駆動規制部１ｂに衝突して駆動規制されるから、誤って差し込まれた第２の固定端子部材６との間で導通することはない。
【００３９】
また、第２の差込部1fに間違いなく差し込まれた第２の固定端子部材6 は、差込規制部1gに設けられた第２の固定端子用ガイド面1hに沿って、差込方向に沿ってガイドされるから、差込操作が容易になる。
【００４０】
また、第１の差込部1aに間違いなく差し込まれた第１の固定端子部材4 は、駆動規制部1bに設けられた第１の固定端子用ガイド面1cに沿って、差込方向に沿ってガイドされるから、差込操作が容易になる。
【００４１】
なお、本実施形態では、差込規制部1g及び駆動規制部1bがいずれも設けられているが、固定端子部材を誤って差し込んでしまうようなことがあっても、例えば、工程管理がある程度はなされていて、第１の固定端子部材4 又は第２の固定端子部材6 のいずれか一方しか、誤って差し込んでしまう恐れがない場合は、誤って差し込んでしまう恐れのある差込部の近傍にのみ、規制部を設ける構成にしてもよい。
【００４２】
また、本実施形態では、差込規制部1g及び駆動規制部1bは、ガイド面を有しているが、ガイド面を有さずに設けられても、異常発熱や導通不良等の不具合が発生しなくなるという効果を奏することができる。
【００４３】
また、本実施形態の接点開閉装置は、リミットスイッチであるが、リミットスイッチに限るものではない。
【００４４】
【発明の効果】
請求項１記載の発明は、第１の固定端子部材は、差込制限部から差込方向先端へ向かって、第２の所定寸法より長い第１の所定寸法離れた位置に第１の固定接点が設けられているから、誤って、第２の差込部に差し込まれてしまっても、第１の固定接点が基台の差込規制部に衝突して差し込みが規制されて、完全に差し込むことができない。また、第２の固定端子部材は、差込制限部から差込方向先端に向かって、第１の所定寸法より短い第２の所定寸法離れた位置に第２の固定接点が設けられているから、誤って、第１の差込部に差し込まれてしまっても、その誤って差し込まれた第２の固定端子部材へ向かって駆動された可動接点板が、両固定接点の対向方向に沿って駆動規制部に衝突して駆動規制されるから、誤って差し込まれた第２の固定端子部材との間で導通することはない。
【００４５】
請求項２記載の発明は、請求項１記載の発明の効果に加えて、第２の差込部に間違いなく差し込まれた第２の固定端子部材は、差込規制部に設けられた第２の固定端子用ガイド面に沿って、差込方向にガイドされるから、差込操作が容易になる。
【００４６】
請求項３記載の発明は、請求項２又は請求項３記載のいずれかの発明の効果に加えて、第１の差込部に間違いなく差し込まれた第１の固定端子部材は、駆動規制部に設けられた第１の固定端子用ガイド面に沿って、差込方向にガイドされるから、差込操作が容易になる。
【図面の簡単な説明】
【図１】本発明の第１実施形態の固定端子部材が間違いなく差し込まれた状態の部分断面図である。
【図２】同上の固定端子部材が誤って差し込まれた状態の部分断面図である。
【図３】同上の平面図である。
【図４】従来例の平面図である。
【図５】同上の固定端子部材が間違いなく差し込まれた状態の部分断面図である。
【図６】同上の固定端子部材が誤って差し込まれた状態の部分断面図である。
【符号の説明】
1   基台
1a  第１の差込部
1b  駆動規制部
1c  第１の固定端子用ガイド面
1f  第２の差込部
1g  差込規制部
1h  第２の固定端子用ガイド面
4   第１の固定端子部材
4a  差込制限部
4d  第１の固定接点
6   第２の固定端子部材
6a  差込制限部
6d  第２の固定接点
8   可動接点板
8a  可動接点
Ｌ1 第１の所定寸法
Ｌ2 第２の所定寸法
【図１】
0004066568.tif 000002
【図２】
0004066568.tif 000003
【図３】
0004066568.tif 000004
【図４】
0004066568.tif 000005
【図５】
0004066568.tif 000006
【図６】
0004066568.tif 000007